(57)【要約】【課題】従来必要としていたオーバーフロー用の搬送路を不要とし、構造の簡素化、装置の低価格化を図る。【解決手段】入金口に投入された硬貨の入金処理を行う際に、出金ガイド板７５を硬貨を回収箱７８に案内する位置７５ｂに回動させ、出金処理中に検銭部４５による金種毎の計数値に基づいて、硬貨集積部５７〜６２内の硬貨集積枚数が規定値に達したことを検出した場合、該当する硬貨集積部から硬貨繰出部により硬貨を繰出して回収箱７８に回収しながら入金処理を継続して硬貨集積部５７〜７４に硬貨を集積させる。【選択図】        図１
2004265066.tif 000002
【特許請求の範囲】
【請求項１】
入金する硬貨を投入する入金口と、
この入金口から投入された硬貨を１枚づつ分離して繰り出す分離繰出部と、
この分離繰出部から送られてくる硬貨の金種等を判別して、金種毎に硬貨を計数する検銭部と、
硬貨の金種に対応して設けられ、前記検銭部で計数された硬貨を金種別に集積する複数の硬貨集積部と、
各硬貨集積部の底部に設けられ、硬貨集積部に集積されている硬貨を１枚づつ繰り出す硬貨繰出部と、
各硬貨繰出部により出金用として繰り出されて放出された硬貨を金種別に収納する出金カセットと、
各硬貨繰出部により回収用として繰り出されて放出された硬貨を集積する回収箱を具備した硬貨管理装置において、
各硬貨繰出部の硬貨放出位置が直線上に並ぶように配置すると共に、前記出金カセット及び前記回収箱を前記硬貨放出位置の下方に並べて配置して、前記硬貨放出位置と前記出金カセット及び前記回収箱との間に回動可能な出金ガイド板を設け、
入金口に投入された硬貨の入金処理を行う際に、前記出金ガイド板を硬貨を前記回収箱に案内する位置に回動させ、
出金処理中に上記検銭部による金種毎の計数値に基づいて、前記硬貨集積部内の硬貨集積枚数が規定値に達したことを検出した場合、
該当する硬貨集積部から硬貨繰出部により硬貨を繰出して前記回収箱に回収しながら入金処理を継続して硬貨集積部に硬貨を集積させることを特徴とする硬貨管理装置。
【請求項２】
請求項１において、
硬貨集積部に集積された硬貨の集積高さを検知するセンサを各硬貨集積部に設け、
入金処理中に前記硬貨集積部内の硬貨集積枚数が規定値に達しない状態で、前記検知センサにより硬貨が一定の高さに達したことを検知したとき、一旦入金処理を停止して、該当する硬貨集積部から硬貨繰出部により硬貨を繰り出して前記回収箱に回収することを特徴とする硬貨管理装置。
【請求項３】
請求項１において、
硬貨集積部に集積された硬貨の集積高さを検知するセンサを各硬貨集積部に設けると共に、
各硬貨繰出部に、一定方向に回転したとき硬貨集積部から硬貨を一枚づつ繰り出し、逆方向に回転したときは硬貨を繰り出さないようにした円盤を設け、
入金処理中に前記硬貨集積部内の硬貨集積枚数が規定値に達しない状態で、前記検知センサにより硬貨が一定の高さに達したことを検知したとき、該当する硬貨集積部の硬貨繰出部における円盤を逆方向に回転させて、硬貨集積部内の硬貨の高さが低くなるように硬貨を攪拌することを特徴とする硬貨管理装置。
【発明の詳細な説明】
【０００１】
【発明の属する技術分野】
本発明は、硬貨を入金計数して収納し、収納した硬貨を出金する硬貨管理装置に関するものである。
【０００２】
【従来の技術】
図２８は従来の硬貨管理装置の概略構成を示す図である。
この図において、入金口３００に投入された硬貨は、１枚づつ分離して繰り出され、搬送路３０２により図面に向かって右方向に搬送される。
搬送路３０２には検銭部３０１が設けられており、入金口３００から搬送されてきた硬貨はこの検銭部３０１で金種や真偽等の判別が行われる。
【０００３】
検銭部３０１で偽あるいは金種不明と判別された硬貨はリジェクト硬貨としてリジェクト搬送路３０３によりリジェクト部３０４に搬送され、返却される。
検銭部３０１で真と判別された受入れ可能な硬貨は計数され、複数設けられた一時保留部３０５に金種別に振り分けられて一時保留される。
各一時保留部３０５の下には、出金時に硬貨を一枚づつ繰り出す硬貨繰出部を備えた金種対応の硬貨集積部３０７が設けられており、一時保留部３０５に一時保留された硬貨は通常は硬貨集積部３０７に金種別に集積される。
【０００４】
この硬貨集積部３０７の下部には出金カセット３０８が設けられており、この出金カセット３０８は出金時に各硬貨集積部３０７から硬貨繰出部により硬貨を一枚づつ繰り出される硬貨を金種別に収納できるように構成されていて、この出金カセット３０８を内から抜き取ることで硬貨の出金が行われる。
このような硬貨管理装置において、金種別に設けられた硬貨集積部３０７のどれか１つでも硬貨の満杯が生じた場合、一時保留部３０５の硬貨を収納することができなくなるので、そのような場合は、図示しない切替え手段によって一時保留部３０５の硬貨を搬送路３０６上に放出し、搬送路３０６により図面に向かって右方向に搬送し、オーバーフロー用の回収箱３０９に収納するようになっている（例えば、特許文献１参照）。
【０００５】
【特許文献１】
特開平２００１−１９５６３１公報（段落
【０００３】，
【００２１】、図１）
【０００６】
【発明が解決しようとする課題】
しかしながら、上述した従来の技術では、オーバーフロー用の搬送路が必要であり、一般にこの種の搬送路は、搬送ベルトやそれを支持するプーリ、ベルト駆動用のモーター、このモーターの回転力をプーリに伝達する機構等で構成されるため、構造が複雑で装置が高価になるという問題がある。
【０００７】
本発明はこのような問題を解決することを課題とする。
【０００８】
【課題を解決するための手段】
そのため、本発明は、入金する硬貨を投入する入金口と、硬貨の金種等を判別して、金種毎に硬貨を計数する検銭部と、硬貨の金種に対応して設けられ、前記検銭部で計数された硬貨を金種別に集積する複数の硬貨集積部と、各硬貨集積部の底部に設けられ、硬貨集積部に集積されている硬貨を１枚づつ繰り出す硬貨繰出部と、各硬貨繰出部により出金用として繰り出されて放出された硬貨を金種別に収納する出金カセットと、各硬貨繰出部により回収用として繰り出されて放出された硬貨を収納する回収箱を具備した硬貨管理装置において、各硬貨繰出部の硬貨放出位置が直線上に並ぶように配置すると共に、前記出金カセット及び前記回収箱を前記硬貨放出位置の下方に並べて配置して、前記硬貨放出位置と前記出金カセット及び前記回収箱との間に回動可能な出金ガイド板を設け、入金口に投入された硬貨の入金処理を行う際に、前記出金ガイド板を硬貨を前記回収箱に案内する位置に回動させ、出金処理中に上記検銭部による金種毎の計数値に基づいて、前記硬貨集積部内の硬貨集積枚数が規定値に達したことを検出した場合、該当する硬貨集積部から硬貨繰出部により硬貨を繰出して前記回収箱に回収しながら入金処理を継続して硬貨集積部に硬貨を集積させることを特徴とする。
【０００９】
【発明の実施の形態】
以下、図面を参照して本発明による硬貨管理装置の実施の形態について説明する。
図１は第１の実施の形態要部斜視図で、この図１を説明する前に図２及び図３について説明する。
【００１０】
図２は実施の形態の店舗設置例を示す図である。
図２において１１は店舗で、この店舗１１には、売上を集計し、売上金を保管するためのレジスター機１２ａ〜１２ｄが配設されるが、その数は図示した４台に限らず、店舗の規模等により１台あるいは２台以上の任意の数に設定することが可能である。
【００１１】
また、店舗１１は、例えばコンビニエンスストアや、スーパーマーケット、百貨店等の商店、あるいはレストラン、喫茶店等の飲食店が対象として考えられるが、商品の販売や有償サービスの提供を行う店舗であれば、いかなる店舗であってもよい。
前記レジスター機１２ａ〜１２ｄは、店舗を訪れた顧客が商品を購入したり、サービスを受けてその代金の精算を行う際、レジ係等の担当者が操作して各商品やサービスの代金を売上として入力することにより合計売上額を集計し、かつ顧客から代金として受け取った現金を収納するための装置である。
【００１２】
この場合、顧客に釣銭を支払う必要があれば、レジ係等の担当者はレジスター機１２ａ〜１２ｄのドロア（引出）内に金種別に仕分けされて収納されている現金を取り出し、釣銭を顧客に渡す。
尚、レジスター機１２ａ〜１２ｄは、所謂ＰＯＳ（Ｐｏｉｎｔ  ｏｆ  Ｓａｌｅｓ）システムにおけるＰＯＳ端末として機能するものであってもよい。
【００１３】
その場合、売上額だけでなく、顧客が購入した商品やサービス毎に商品項目等の売上情報も前記レジスター機１２ａ〜１２ｄに入力される。
そして、これらのレジスター機１２ａ〜１２ｄに入力された売上情報や売上額を集計するためのストアコンピュータ１３が店舗に設置される。
このストアコンピュータ１３はレジスター機１２ａ〜１２ｄとＬＡＮ（Ｌｏｃａｌ  Ａｒｅａ  Ｎｅｔｗａｏｒｋ）１４を介して接続され、レジスター機１２ａ〜１２ｄに売上情報や売上額が入力される毎に、該売上情報や売上額を収集して店舗全体としての売上情報や売上額を集計するものとなっている。
【００１４】
更に、ストアコンピュータ１３は、公衆網等の通信回線１５を介して本部コンピュータ１６に接続されており、この本部コンピュータ１６には別の複数の店舗１１にそれぞれ設置されているストアコンピュータ１３も通信回線１５を介して接続されていて、各店舗の売上情報や売上額等をストアコンピュータ１３から収集し、すべての店舗の売上情報や売上額等を集計するものとなっている。
【００１５】
これにより、本部コンピュータ１６は各店舗１１の商品の在庫状況を把握し、新たに仕入れる商品の品目、数量等を算出することができ、更に、本部コンピュータ１６によって集計されたり、算出された情報は店舗指導に等において利用することができる。
１７は店舗１１設置された硬貨管理装置としての釣銭管理装置で、この釣銭管理装置１７はレジスター機１２ａ〜１２ｄにセットする釣銭準備金を収納し、管理するようになっている。
【００１６】
すなわち、店舗１１における営業に必要な数日分の釣銭準備金が釣銭管理装置１７内に収納されていて、店舗の担当者は必要に応じて釣銭管理装置１７から必要額の釣銭準備金を出金し、レジスター機１２ａ〜１２ｄにセットするものとなっている。
また、担当者は、レジスター機１２ａ〜１２ｄに業務終了時等に残った釣銭準備金を回収して釣銭管理装置１７に入金する。
【００１７】
そして、回収した釣銭準備金が入金されると釣銭管理装置１７は、その釣銭準備金の計数を行い、始めに出金した釣銭準備金と回収した釣銭準備金との差額に基づいて精算処理を行う。
尚、釣銭準備金の管理は各レジスター機単位で行うことができ、各レジスター機１２ａ〜１２ｄ毎に釣銭準備金の精算及び管理を行うことができる。
【００１８】
また、釣銭管理装置１７は通信回線１８を介して監視センタ１９に接続されており、この監視センタ１９は通信回線１７を介して釣銭管理装置１７の稼働状況を収集し、釣銭準備金が不足した場合の補充（入金）や、釣銭管理装置１７が強盗等に襲われた場合の監視等を行う。
店舗１１で必要な釣銭準備金としては、一円硬貨、五円硬貨、十円硬貨、五十円硬貨、百円硬貨、及び五百円硬貨や、千円紙幣、２千円紙幣、及び五千円紙幣がある。
【００１９】
硬貨の金種は６種類あり、準備する枚数も金種によっては一般的なレジスター機１台について５０〜１００枚となり管理に手間がかかるが、紙幣の場合は、一般的なレジスター機１台につき、千円は１０〜２０枚程度、二千円及び五千円は数枚準備すればよいので手間がかかることはない。
そのため、釣銭管理装置１７のコストを安価にするためには、釣銭準備金としての紙幣は人手で管理し、硬貨のみを釣銭管理装置１７で管理することが望ましい。
【００２０】
このようなことから、本実施の形態では、釣銭管理装置１７が硬貨のみを管理する場合について説明する。
図示したように釣銭管理装置１７は、レジスター機１２ａ〜１２ｄから回収した硬貨や新たに釣銭管理装置１７に補充する硬貨を入金するための入金口２１、正当な硬貨として判別することができない場合等に、その硬貨を返却するためのリジェクト口２２、及び釣銭管理装置１７に保管されている釣銭準備金から必要な額をレジスター機１２ａ〜１２ｄにセットするために払い出す出金口２３を有している。
【００２１】
また、これらの処理を実行し、釣銭管理装置１７を操作するために、釣銭管理装置１７の前面にはＣＲＴや液晶ディスプレイ、あるいはＬＥＤ（Ｌｉｇｈｔ  Ｅｍｉｔｔｉｎｇ  Ｄｉｏｄｅ）ディスプレイ等による表示部２４、ファンクションキーやテンキー等によって操作キー部２５、担当者が所持しているＩＤカードを受け入れるためのカード受入口２６、及び入金、出金、精算等の結果を印刷したレシートを発行するためのレシート口２７が設けられている。
【００２２】
尚、表示部２４及び操作キー部２５はタッチパネルとして一体的に構成されていてもよい。
図３は釣銭管理装置１７の構成を示す機能ブロック図である。
この図に示したように釣銭管理装置１７は、制御部３１、データ記憶部３２、表示制御部３３、操作制御部３４、カード読取部３５、伝送部３６、監視部３７、硬貨処理部３８を有している。
【００２３】
ここで制御部３１は、ＣＰＵ、ＭＰＵ等の演算手段及び各種Ｉ／Ｆ（インターフェイス）部を備えるマイクロコンピュータ等から成り、釣銭管理装置１７全体の動作を統括して制御するものである。
また、データ記憶部３２は磁気ディスク、半導体メモリ等の記憶手段を備えており、釣銭管理のための各種のデータを記憶するために用いられる。
【００２４】
表示制御部３３は、表示部２４の動作を制御し、表示部２４に釣銭管理装置１７の操作の案内、計数結果等を表示させるように機能する。
操作制御部３４は操作キー部２５のキーの入力を受信し、入力信号を制御部３１に出力する。
カード読取部３５はカード受入口に挿入されたＩＤカードに記録されているデータを読み取るもので、伝送部３６は釣銭管理装置１７の稼働状況や収納している硬貨の残高等のデータを通信回線１８を介して監視センタ装置１９に送信するものである。
【００２５】
監視部３７は釣銭管理装置１７が強盗等に襲われてこじ開けられたり、異常な振動が発生した場合、それらを検出するもので、検出結果は伝送部３６に通知され、通信回線１８を介して監視センタ１９に送信される。
硬貨処理部３８は、入金口２１から投入された硬貨を計数して収納したり、収納してある硬貨を計数して払い出す機能を有するもので、以下に図１を用いて説明する。
【００２６】
図１に示したように硬貨処理部３８は入金ホッパ４１を有し、釣銭管理装置１７の入金口２１から一括して投入された硬貨は入金ホッパ４１で受けられる。
この入金ホッパ４１の下部（底部）には、硬貨を１枚づつ分離して繰り出す分離繰出部４２が配置され、この分離繰出部４２により入金ホッパ４１から入金搬送路４３に硬貨が１枚づつ繰り出される。
【００２７】
入金搬送路４３の入口部には、第１のセンサ４４が配置されいて、入金搬送路４３に繰り出された硬貨を検出するものとなっており、この第１のセンサ４４の検出結果に従って、分離繰出部４２の硬貨繰り出し動作の制御が行われる。
すなわち、第１のセンサ４４により硬貨が入金搬送路４３上に繰り出されたことを検出すると、分離繰出部４２の硬貨繰り出し動作が一時停止させられ、次に繰り出される硬貨との間隔を一定にする。
【００２８】
また、分離繰出部４２が硬貨繰り出し動作を行っても、第１のセンサ４４によって硬貨が入金搬送路４３上に繰り出されたことを検出しない場合は、硬貨詰まりと判断し、分離繰出部４２が硬貨詰まり解除の動作を行うように制御される。
入金搬送路４３上に繰り出された硬貨は、この入金搬送路４３上を搬送され、入金搬送路４３において第１のセンサ４４の下流側に配置された検銭部４５を通過する。
【００２９】
この検銭部４５は、通過する硬貨の外径寸法、孔の有無、磁気的な材質検知等によって硬貨の金種等を判別し、金種が確定した硬貨は入金可能な正当な硬貨ととして計数する。
また、硬貨についている傷や錆等により正しく判別できなかったり、分離繰出で一定間隔に繰り出されず、複数硬貨が連なって繰り出されることにより正しく判別できなかったり、あるいは硬貨以外のものであるために金種が判別できなかった場合、検銭部４５はリジェクトすべき硬貨と判別する。
【００３０】
検銭部４５を通過した硬貨は入金搬送路４３から区分搬送路４６へと搬送される。
区分搬送路４６の入り口には、第２のセンサ４７が配置されており、検銭部４５からこの第２のセンサ４７までは、入金すべき正当な硬貨だけでなく、リジェクトすべき硬貨等も搬送されるので、これらの正当な硬貨やリジェクトすべき硬貨等が確実に搬送されたことを第２のセンサ４７で検出する。
【００３１】
区分搬送路４６における第２のセンサ４７の下流側には、第１のブレードとしてリジェクトブレード４８が配置されており、検銭部４５がリジェクトすべきと判別した硬貨等が到達したときは、リジェクトブレード４８が動作してリジェクトシュート４９を開放動作させ、これにより区分搬送路４６上を搬送されるリジェクトすべき硬貨等をリジェクトシュート４９で誘導して、釣銭管理装置１７のリジェクト口２２から放出する。
【００３２】
検銭部４５の判別で金種が確定した正当な硬貨が到達した場合、リジェクトブレード４８はリジェクトシュート４９を閉鎖動作させ、これにより区分搬送路４６上を搬送される硬貨をリジェクトシュート４９上を通過させて、更に下流に搬送されるようにする。
リジェクトシュート４９の下流側には、第３のセンサ（通過センサ）５０が配設されており、金種が確定した正当な硬貨は検銭部４５で判別結果が出力されてから所定時間経過後にこの第３のセンサ５０によって検出され、通過が確認される。
【００３３】
この第３のセンサ５０を通過した硬貨は、検銭部４５で判別された金種に従って区分搬送路４６上で区分され、後述する硬貨集積部に集積される。
ここでは、日本で通常に流通している６種類の硬貨、すなわち一円硬貨、五円硬貨、十円硬貨、五十円硬貨、百円硬貨、及び五百円硬貨を区分する場合について説明する。
【００３４】
第３のセンサ５０の下流側には、最も径の小さい一円硬貨を落下させるための穴５１が形成されており、この穴５１は一円硬貨の外径より大きく、次に小さい五十円硬貨の外径より小さく設定されていて、６種類の硬貨のうち一円硬貨だけが穴５１から落下するようになっている。
一円硬貨以外の硬貨は、落下することなく穴５１を通過し、区分搬送路４６上を更に下流側に搬送される。
【００３５】
穴５１の下流側には第２のブレードとしての選別ブレード５２が配置されており、この選別ブレード５２により十円硬貨だけが選別されて落下するようになっている。
すなわち、検銭部４５で十円と判別された硬貨が第３のセンサ５０を通過すると、所定時間経過後に選別ブレード５２が開放動作し、区分搬送路４６から十円硬貨が落下するようになっている。
【００３６】
この選別ブレード５２の下流側には穴５３が形成されており、この穴５３は五十円硬貨の外径より大きく、次に大きい五円硬貨の外径より小さく設定されていて、五十円硬貨だけが選別されて穴５３から落下するものとなっている。
また、穴５３の下流側には穴５４が形成されており、該穴５４は五円硬貨の外径より大きく、次に大きい百円硬貨の外径より小さく設定されていて、五円硬貨だけを選別して穴５４から落下させることが可能となっている。
【００３７】
この穴５４の下流側には穴５５が形成されており、該穴５５は百円硬貨の外径より大きく、五百円硬貨の外径より小さく設定されていて、百円硬貨だけを選別して穴５５から落下できるようにしている。
更に、この穴５５の下流側には穴５６が形成されており、該穴５６は五百円硬貨の外径より大きく設定されていて、五百円硬貨はこの穴５６から落下するものなっている。
【００３８】
このように本実施の形態においては、区分搬送路４６に十円硬貨を選別するための選別ブレード５２を１個所配置し、他の五種類の金種の硬貨を選別するために、硬貨の径の小さい順番、すなわち一円硬貨、五十円硬貨、五円硬貨、百円硬貨、五百円硬貨の順にそれぞれ対応する大きさの穴５１、５３〜５６を区分搬送路４６に形成することで、六種類の硬貨を区分搬送路４６から落下させ、これにより硬貨を金種別に仕分けすることができるようにすると共に、高価な選別ブレード５２の使用数を減らすようにしている。
【００３９】
区分搬送路４６から落下させた各金種の硬貨は六個の硬貨集積部５７〜６２に集積される。
この六個の硬貨集積部５７〜６２は区分搬送路４６の下側に搬送方向に向かって右側と左側に分かれて配置されており、本実施の形態では、搬送方向に向かって右側には上流側から一円硬貨集積部５７、五円硬貨集積部５８、五十円硬貨集積部５９、及び五百円硬貨集積部６０が順に配置され、また搬送方向に向かって左側には上流側から十円硬貨集積部６１、百円硬貨集積部６２が順に配置されている。
【００４０】
ところで、一般的に釣銭としては、十円硬貨と百円硬貨が大量に使用される。
一円硬貨も使用料は多いが、十円硬貨や百円硬貨と比較すると量は少なく、また外径も小さいので、十円硬貨や百円硬貨硬貨集積部６１，６２に比べて一円硬貨の硬貨集積部５７は小さくても充分な枚数を集積することができる。
そのため、区分搬送路４６に向かって左側に十円硬貨と百円硬貨の二種類の硬貨集積部６１，６２を配置することによって、他の金種の硬貨集積部の２倍以上の集積容量を確保することができるようにしている。
【００４１】
これらの硬貨集積部５７〜６２と区分搬送路４６とはシュートによって連結されている。
すなわち、区分搬送路４６の一円硬貨を落下させるための穴５１と一円硬貨集積部５７とは一円シュート６３によって連結され、穴５１を通過した一円硬貨は一円シュート６３を通って硬貨集積部５７に上方から放出されて集積される。
【００４２】
同様に五円硬貨集積部５８は五円シュート６４によって穴５４と連結され、十円硬貨集積部６１は十円シュート６５によって選別ブレード５２の開放部と連結され、五十円硬貨集積部５９は五十円シュート６６によって穴５３と連結され、百円硬貨集積部６２は百円シュート６７によって穴５５と連結され、五百円硬貨集積部６０は五百円シュート６８によって穴５６と連結されている。
【００４３】
そして、これらのシュートのうち、五円シュート６４と五十円シュート６６とは互いに交差して配置されている。
これは、五円硬貨集積部５８と五十円硬貨集積部５９が隣同志であって、区分搬送路４６の選別用の穴も五十円硬貨用の穴５３と五円硬貨用の穴５４が隣同志であることから、五円シュート６４と五十円シュート６６とを交差させるだけの簡単な構造で五十円硬貨と五円硬貨をそれぞれ五円硬貨集積部５８と五十円硬貨集積部５９に集積させることができる。
【００４４】
このように本実施の形態では、区分搬送路４６での硬貨の選別を、硬貨の外径の違いを利用した穴により行うことを基本とし、十円硬貨のみはブレードにより選別を行うものとしている。
そして、硬貨集積部を区分搬送路４６の搬送方向に向かって左右に配置している。
【００４５】
これにより、釣銭として使用量の多い十円硬貨、百円硬貨の集積容量を大きくすると共に、簡単なシュート構造で区分搬送路４６の選別部と連結して、安価でかつ信頼性の高い金種別集積構造を実現している。
一円硬貨集積部５７、五円硬貨集積部５８、五十円硬貨集積部５９、五百円硬貨集積部６０、十円硬貨集積部６１、及び百円硬貨集積部６２の下部（底部）には、それぞれに対応する硬貨繰出部６９〜７４が設けられている。
【００４６】
すなわち、一円硬貨集積部５７の下部には一円硬貨繰出部６９が配設され、五円硬貨集積部５８の下部には五円硬貨繰出部７０が配設されている。
同様に、五十円硬貨集積部５９の下部には五十円硬貨繰出部７１、五百円硬貨集積部６０の下部には五百円硬貨繰出部７２、十円硬貨集積部６１の下部には十円硬貨繰出部７３、百円硬貨集積部６２の下部には百円硬貨繰出部７４がそれぞれ配設されている。
【００４７】
尚、図１には十円硬貨繰出部７３と百円硬貨繰出部７４は図示していないが、後述する図４に示している。
各硬貨集積部５７〜６２から出金が必要な場合は、これらの硬貨繰出部６９〜７４により各硬貨集積部５７〜６２から硬貨が１枚づつ繰り出され、後述する出金カセットを介して必要枚数払い出される。
【００４８】
硬貨繰出部６９〜７４の下側には、硬貨繰出部６９〜７４に沿って出金ガイド板７５が配置されており、硬貨繰出部６９〜７４により硬貨収納部５７〜６２から繰り出された硬貨はこの出金ガイド板７５上に放出される。
出金ガイド板７５は、回転軸７６を中心に回動して位置７５ａから位置７５ｂに角度変化し、それぞれの硬貨繰出部６９〜７４により放出された硬貨を必要な方向に案内するものである。
【００４９】
この出金ガイド板７５の下側には、出金カセット７７及び硬貨回収用の回収箱７８が隣接するように並べて配置されており、出金ガイド板７５が位置７５ａにある場合は、硬貨繰出部６９〜７４により放出された硬貨は出金カセット７７の方向に案内されて収納され、出金ガイド板７５が位置７５ｂに切替えられた場合は、硬貨繰出部６９〜７４により放出された硬貨は出金カセット７７の方向に案内されて収納されるようになっている。
【００５０】
出金カセット７７内は硬貨の金種の数に仕切られ、これにより図１に示すように手前から金種の順番に一円硬貨収納部７９、五円硬貨収納部８０、十円硬貨収納部８１、五十円硬貨収納部８２、百円硬貨収納部８３、及び五百円硬貨収納部８４が形成されている。
前記のように硬貨集積部５７〜６２は、右側に一円硬貨集積部５７、五円硬貨集積部５８、五十円硬貨集積部５９、及び五百円硬貨集積部６０が配置されており、また左側に十円硬貨集積部６１、百円硬貨集積部６２が配置されている。
【００５１】
このように二列に並んだ硬貨集積部５７〜６０と６１及び６２との間の下部に出金ガイド板７５が配置されている。
ここで、十円硬貨繰出部７３と百円硬貨繰出部７４の位置について説明する。
図４は図１の一部を取り除いて示した斜視図で、一円硬貨集積部５７、五円硬貨集積部５８、五十円硬貨集積部５９、並びに一円硬貨繰出部６９、五円硬貨繰出部７０、五十円硬貨繰出部７１を省略して、十円硬貨集積部６１、百円硬貨集積部６２、及び十円硬貨繰出部７３及び百円硬貨繰出部７４の配置が分かるようにしている。
【００５２】
図に示したように、十円硬貨集積部６１に集積されている十円硬貨は、十円硬貨繰出部７３によって１枚づつ繰り出され、矢印Ａで示した方向に放出される。
放出された十円硬貨は、出金ガイド板７５上に落下し、この出金ガイド板７５により矢印Ｆ方向に案内されて出金カセット７７の十円硬貨収納部８１に収納される。
【００５３】
同様に、百円硬貨集積部６２に集積されている百円硬貨は、百円硬貨繰出部７４によって１枚づつ繰り出され、矢印Ｂで示した方向に放出される。
放出された百円硬貨は、出金ガイド板７５上に落下し、この出金ガイド板７５により矢印Ｈ方向に案内されて出金カセット７７の百円硬貨収納部８３に収納される。
【００５４】
また、五百円硬貨集積部６０に収納されている五百円硬貨は五百円硬貨繰出部７２によって１枚づつ繰り出されて矢印Ｃで示した方向に放出され、放出された五百円硬貨は、出金ガイド板７５上に落下し、この出金ガイド板７５により矢印Ｉ方向に案内されて出金カセット７７の五百円硬貨収納部８４に収納される。
図４で省略した一円硬貨集積部５７、五円硬貨集積部５８、五十円硬貨集積部５９、及び五百円硬貨集積部６０に集積されている一円硬貨、五円硬貨、五十円硬貨も同様である。
【００５５】
すなわち、一円硬貨集積部５７、五円硬貨集積部５８、五十円硬貨集積部５９から一円硬貨繰出部６９、五円硬貨繰出部７０、五十円硬貨繰出部７１により１枚づつ繰り出された一円硬貨、五円硬貨、五十円硬貨は出金ガイド板７５上に落下し、この出金ガイド板７５によりそれぞれ矢印Ｄ、Ｅ、Ｇ方向に案内されて出金カセット７７の一円硬貨収納部７９、五円硬貨収納部８０、及び五十円硬貨収納部８２にそれぞれ収納される。
【００５６】
尚、出金ガイド板７５は、硬貨の流れを分かり易くするために、１枚の板として示しているが、各金種の硬貨を矢印Ｄ〜Ｉで示した方向に案内にするので、矢印Ｄ〜Ｉの各方向間に仕切板を設けて、各金種の硬貨を出金カセット７７の該当する硬貨収納部７９〜８４へ確実に案内できるようにしてある。
一方、例えば、釣銭管理装置１７の精算をするため、各金種別の硬貨集積部５７〜６２に集積されている硬貨をすべて回収箱７８に収納する場合には、出金ガイド板７５が回転軸７６を中心に位置７５ａから位置７５ｂまで回転する。
【００５７】
そして、金種別の硬貨集積部５７〜６２に集積されている硬貨が、それぞれの硬貨繰出部６９〜７４により１枚づつ繰り出されて出金ガイド板７５に上に放出され、この出金ガイド板７５により矢印Ｄ〜Ｉと逆の方向、つまり搬送方向に向かって左側に案内されて回収箱７８に収納される。
図５及び図６は出金カセット７７の斜視図、図７は回収箱７８を示す斜視図である。
【００５８】
図５に示したように、出金カセット７７には取手８５が設けられ、この取手８５を持って釣銭管理装置１７の出金口２３から引き出せるようになっている。
また、出金カセット７７には鍵９９を備える蓋８６が取りつけられていて、出金口２３から引き出した後、図６に示すように蓋８６を閉じることにより収納した硬貨を落下させずに持ち運ぶことができるようなっている。
【００５９】
回収箱７８も、図７に示したように取手８７を備えていて、この取手８７を持って釣銭管理装置１７の出金口２３から引き出せるようになっている。
図８はリジェクトブレード４８の構成を示す斜視図である。
図に示したように硬貨は区分搬送路４６上を図の手前側から奥に向かって搬送される。
【００６０】
リジェクトブレード４８は軸９０により回動可能に指示され、区分搬送路４６に設けられたリジェクト穴９１を開閉するものとなっている。
通常リジェクトブレード４８は、軸９０に設けられた回転ハンドル９０ａの一端に取り付けられたばね９２によりリジェクト穴９１を開放するように付勢されているが、検銭部４５で受け入れるべき正当な硬貨であると判別された場合、マグネットを備える電磁石式アクチュエータ９３が駆動され、ばね９２に抗して回転ハンドル９０ａ他端を下方へ吸引するので、軸９０がばね９２の付勢による回転方向と反対方向に回動し、リジェクトブレード４８がリジェクト穴９１を閉止する。
【００６１】
これにより区分搬送路４６上を搬送されてきた硬貨はリジェクトブレード４８上を通過し、区分搬送路４６の下流側に搬送されてゆく。
このように検銭部４５の判別結果に従ってリジェクトブレード４８が動作するが、このリジェクトブレード４８により正当な硬貨とリジェクトすべき硬貨が正しく区分されたか否かが第２のセンサ４７及び第３のセンサ５０によって確認される。
【００６２】
この第２のセンサ４７及び第３のセンサ５０は図１にて説明したようにリジェクトブレード４８の前後に配置されており、次に、これら検銭部４５及び第２のセンサ４７及び第３のセンサ５０の出力と、電磁石式アクチュエータ９３によるリジェクトブレード４８の動作の関係を図９により説明する。
図９はリジェクトブレード４８の動作を示すタイムチャートである。  まず、検銭部４５に送られてきた硬貨について、検銭部４５が受け入れるべき正当な硬貨（第１の硬貨とする）であると判断した場合、その判別結果を示す信号１０１を出力し、そして、この第１の硬貨が第２のセンサ４７を通過すると、第２のセンサ４７は通過信号１０２を出力する。
【００６３】
この通過信号１０２に同期して電磁石式アクチュエータ９３のマグネットがパルス１０３で励磁され、これによりリジェクトブレード４８がリジェクト穴９１を閉止して、第１の硬貨は区分搬送路４６の下流側に搬送される。
第１の硬貨が第２のセンサ４７を通過した後、所定時間内に第３のセンサ５０を通過すると、この第３のセンサ５０が通過信号を出力するので、リジェクトブレード４８は正当な硬貨である第１の硬貨を正しく区分することができたことがわかる。
【００６４】
次に、検銭部４５に送られてきた硬貨について、検銭部４５が受け入れるべき正当な硬貨でなく、リジェクトする硬貨（第２の硬貨とする）であると判断した場合は、その判別結果を示す信号１０５を出力する。
ここでは、第２の硬貨はリジェクトすると判別されたので、電磁石式アクチュエータ９３のマグネットは励磁されず、そのためリジェクトブレード４８はリジェクト穴９１を開放し、これにより第２の硬貨はリジェクト穴９１から落下して区分搬送路４６の下流側には搬送されないことになる。
【００６５】
従って、第１の硬貨は第２のセンサ４７を通過した後、所定時間が経過しても第３のセンサ５０を通過しないので、第３のセンサ５０は信号を出力しなことになる。
このようにして正当な硬貨と、それ以外のリジェクトする硬貨とが正しく区分されたか否かを確認することができる。
【００６６】
本実施の形態において、硬貨を搬送する搬送手段は、入金搬送路４３と区分搬送路４６とで構成されている。
この入金搬送路４３と区分搬送路４６はそれぞれ独立しており、それぞれ独立した駆動装置により駆動される搬送ベルトにより硬貨を搬送面に押しつけて、圧接させながら搬送するものとなっている。
【００６７】
次に、釣銭管理装置１７を使用した店舗１１におけるレジスター機１２ａ〜１２ｄへの釣銭のセットや、釣銭の回収について説明する。
図１０〜図１７、図１９〜図２１図、及び図２４は釣銭管理装置１７の表示部２４と操作キー部２５を示す図、図１８はレジスター機の現金の動きを示す説明図、図２２と図２３及び図２５は釣銭管理装置１７から発行するレシートの例を示す図である。
【００６８】
尚、本実施の形態では、開店前の準備から営業途中でのレジ係等の代金精算業務の担当者の交替、閉店後の締めまでを説明する。
まず、開店前の準備について説明すると、ここでは前日にレジスター機１２ａ〜１２ｄのドロア内の現金は空にしてあるものとし、開店前のレジスター機１２ａ〜１２ｄに釣銭準備金をセットするものとする。
【００６９】
そこで、開店時の担当者ａが、自分が所持しているＩＤカードを釣銭管理装置１７のカード受入口２６に挿入すると、ＩＤカードに記録されいる情報をカード読取部３５で読み取り、その読み取り内容から担当者ａの氏名「○○  花子」を認識して、表示部２４に担当のレジスター機を指定するように誘導する画面を表示する。
【００７０】
すなわち、表示部２４に図１０に示したように、事前に登録されている「食品レジ」、「医薬品レジ」、「洋品レジ」、「家電レジ」等のレジスター機１２ａ〜１２ｄのそれぞれの名称と、他に登録されているレジスター機がある場合は、「他のレジ」が操作キー部２５のファンクションキー２５ａ〜２５ｆの位置に対応して表示される。
【００７１】
尚、本実施の形態において、操作キー部２５は、ファンクションキー２５ａ〜２５ｆ、テンキー２５ｇ、及び開始・停止キー２５ｈから成り、担当するレジスター機はファンクションキー２５ａ〜２５ｆで指定するようになっているが、レジスター機が多い場合は、レジスター機に番号をつけ、その番号をテンキー２５ｇで指定することも可能である。
【００７２】
担当者ａは自分の担当であるレジスター機、例えば「雑貨レジ」をファンクションキー２５ｄの押下により指定する。この「雑貨レジ」を、ここではレジスター機１２ａとする。
このレジスター機の指定により表示部２４には図１１に示したように取扱いメニュー画面が表示される。
【００７３】
取扱いメニュー画面には、図示したように「セット出金」、「個別出金」、
「係員入金」、「係員照会」、「係員精算」がある。
ここで、「セット出金」とは、各金種の硬貨が事前に設定された指定枚数だけそれぞれ払いだされるモードを指し、開店前に新たにレジスター機１２ａ〜１２ｄに釣銭準備金をセットする場合に指定するもので、この「セット出金」には、「セット出金１」と「セット出金２」が設けられており、例えば、通常は「セット出金１」を利用するが、休日のように繁忙が予想される特定日や、営業中の案棒状況によって、各金種の硬貨の枚数を「セット出金１」より多く設定した「セット出金２」を指定することが可能となっている。
【００７４】
「個別出金」は、各金種の硬貨の枚数を担当者ａがその都度指定して払い出すようにしたモードであり、営業の途中で釣銭が不足して補充する場合等に主に利用される。
「係員入金」は、レジスター機１２ａ〜１２ｄのドロア内の硬貨を釣銭管理装置１７で計数して入金するモードであり、例えば、営業の途中で釣銭準備金が過剰になった場合等、レジスター機１２ａ〜１２ｄのドロア内の硬貨を釣銭管理装置１７に入金する場合等に利用される。
【００７５】
「係員照会」は、釣銭管理装置１７に釣銭準備金をセットしてから、現在までの払い出し、及び入金の操作履歴等を表示したり、レシートに印刷したりするモードで、当日の現時点における払い出し状況や、日付を指定して特定の日や期間の払い出し及び入金の経過等を照会することが可能である。
「係員精算」は、レジスター機１２ａ〜１２ｄのドロア内の硬貨をすべて回収し、釣銭管理装置１７で計数して入金した後、今回の営業の中で、該当する担当者ａが始めに釣銭準備金を出金してから、それ以降のすべての払い出し及び操作を集計して精算するモードであり、例えば、該当する担当者ａの作業が終了した場合に実行されるものである。
【００７６】
この取扱いメニュー画面をみて担当者ａが「セット出金１」に対応するファンクションキー２５ａを押下すると、図１２に示す払い出し枚数の確認画面が表示部２４に表示される。
図示した例では、「セット出金１」で設定されている硬貨の払い出し枚数は、一円硬貨が２０枚、五円硬貨が１０枚、十円硬貨が３０枚、五十円硬貨が１０枚、百円硬貨が４５枚、五百円硬貨が７枚である。
【００７７】
尚、当日が休日等の繁忙日であって、担当者ａが「セット出金２」を押下した場合は、「セット出金１」とは異なる設定の枚数が表示される。
表示部２４に表示された払い出し枚数でよい場合、担当者ａが開始・停止キー２５ｈを押下すると、釣銭管理装置１７は、「セット出金１」で設定されている硬貨の払い出し枚数の内訳に従った払い出し動作を開始する。
【００７８】
この動作では、まず、図１３に示したように表示部２４に払い出し中である旨の表示が行われ、硬貨処理部３８では出金ガイド板７５を位置７５ａにした後、一円硬貨集積部５７、五円硬貨集積部５８、五十円硬貨集積部５９、五百円硬貨集積部６０、十円硬貨集積部６１、及び百円硬貨集積部６２に集積されている硬貨を、それぞれ対応する一円硬貨繰出部６９、五円硬貨繰出部７０、五十円硬貨繰出部７１、五百円硬貨繰出部７２、十円硬貨繰出部７３、及び百円硬貨繰出部７４により１枚づつ繰り出し、設定された枚数分の硬貨を出金カセット７７の一円硬貨収納部７９、五円硬貨収納部８０、十円硬貨収納部８１、五十円硬貨収納部８２、百円硬貨収納部８３、五百円硬貨収納部８４にそれぞれ収納する。
【００７９】
その後、今回の払い出し処理の内容が制御部３１によりデータ記憶部３２に記憶され、そして図１４に示したように表示部２４に出金カセット７７の抜き取りを促す旨の表示が行われる。
この表示に従って担当者ａは出金カセット７７を釣銭管理装置１７の出金口２３から抜き取り、図示しないプリンタで枚数の内訳等が印刷され、レシート口２７から発行されるレシートを取り出す。
【００８０】
担当者ａはこのレシートを控えとして保管する。
出金カセット７７には図５で説明したように鍵９９を備えた蓋８６が取り付けられており、払いだされた硬貨が金種別に収納されている出金カセット７７の硬貨収納部７９〜８４は図６に示したように蓋８６を閉じると閉鎖されるので、出金カセット７７を持ち運んでも硬貨がこぼれ落ちることはない。
【００８１】
担当者ａが出金カセット７７をレジスター機１２ａまで運び、蓋８６を開いて硬貨をレジスター機１２ａのドロアに移し変える。
一般的に、レジスター機１２ａのドロア内の釣銭収納部は、ドロアの手前側に横一列に配置されており、そして金種別に硬貨を収納した出金カセット７７の金種別の硬貨収納部７９〜８４も一列に配置されているので、出金カセット７７から簡単にレジスター機１２ａの釣銭収納部に硬貨を容易に移し変えることができる。
【００８２】
レジスター機１２ｂ〜１２ｄも同様である。
このようにすることで開店前の釣銭準備が完了し、そして開店後担当者ａはこの釣銭準備金を使用して顧客に対する代金精算業務を遂行する。
次に、営業途中でレジスター機１２ａにより代金精算業務を行っている担当者を交代する場合の引き継ぎについて説明する。
【００８３】
従来は、担当者が交代する場合の業務の引き継ぎは、それまで業務を遂行していた担当者ａとそれを引き継ぐ担当者ｂが共に立会い、レジスター機１２ａ内のすべての現金を計数して残高を確認していた。
このときの残高は、開店前に準備した釣銭準備金と、開店後から引き継ぎ時までの売上高との合計である。
【００８４】
この場合、レジスター機１２ａを操作することによって、開店後から引き継ぎ時までの売上の計を出力するが、引き継ぎを行う担当者ａ，ｂが揃って現金の計数及び確認を行っていたため、大きな手間を要すると共に、その間レジスター機１２ａにおける代金精算業務は停止させなければならないため、顧客に対して迷惑をかけていた。
【００８５】
本実施の形態の釣銭管理装置１７を使用すると、二人の担当者ａ，ｂが揃って現金の計数及び確認を行う必要がなくなり、レジスター機１２ａにおける代金精算業務を停止させる必要もなくなる。
すなわち、新しく代金精算業務を引き継ぐ担当者ｂは、釣銭管理装置１７から自分が使う釣銭準備金を出金する。この出金の処理についていは、担当者ａの場合と同様であるので、説明を省略する。
【００８６】
担当者ｂは、釣銭準備金を収納した出金カセット７７を持参してレジスター機１２ａが配置されている場所に行き、担当者ａとの引き継ぎ作業を行う。
このとき、それまでの担当者ａはレジスター機１２ａを操作して、引き継ぎ時までの売上高が印刷されたレシートを発行させ、そしてレジスター機１２ａのドロアに収納されている売上金及び釣銭準備金等の現金をすべて抜き出して空にする。
【００８７】
続いて担当者ｂは自分が持参した出金カセット７７を開き、空になったレジスター機１２ａのドロアに釣銭準備金を移し変え、代金精算業務を開始する。
このようにしてレジスター機１２ａにおける代金精算業務の引き継ぎが完了するが、これによればレジスター機１２ａにおける代金精算業務の停止時間は、担当者ａが現金をレジスター機１２ａから引き上げる時間と、担当者ｂが出金カセット７７から釣銭準備金をレジスター機１２ａに移し変える時間だけとなり、引き継ぎが容易となって、顧客にかける迷惑も最小限に抑えることができる。
【００８８】
その後、担当者ａはレジスター機１２ａから引き上げた現金と、レジスター機１２ａから発行された売上高が印刷されたレシートを持って釣銭管理装置１７が設置された場所に行き、現金のうち硬貨のみを釣銭管理装置１７の現金処理部３８に投入して精算を行う。
このときの担当者ａによる精算の手順について説明する。
【００８９】
まず、担当者ａは所持しているＩＤカードを釣銭管理装置１７のカード受入口２６に挿入すると、ＩＤカードに記録されいる情報がカード読取部３５で読み取られて、図１０に示した画面が表示部２４に表示される。
この画面をみて担当者ａが「雑貨レジ」を選択すると、図１１に示した画面が表示部２４に表示されるので、ここで担当者ａは「係員精算」を選択する。
【００９０】
これにより表示部２４に、図１５に示すような、すべての硬貨の入金を促す旨の画面が表示されるので、これをみて担当者ａがすべての硬貨を入金口２１に投入し、開始・停止キー２５ｈを押下すると、表示部２４に図１６に示したように計数中である旨の表示が行われる。
そして投入された硬貨の判別，計数が検銭部４５で行われ、計数された硬貨は金種別に硬貨集積部５７〜６２に集積される。
【００９１】
入金口２１に投入された硬貨の計数がすべて終了すると、図１７に示したように、計数が終了した旨の画面が表示部２４に表示される。
このとき、硬貨が手元に残っている場合は、その硬貨を入金口２１に投入し、再度開始・停止キー２５ｈを押下することにより、追加して計数を行うことができる。
【００９２】
そしてすべての硬貨の計数が終了すると、担当者ａは計数終了に対応するファンクションキー２５ｆを押下する。
ここで、レジスター機１２ａ内の現金の動きについて説明する。
営業開始時に、担当者ａがレジスター機１２ａ内に釣銭準備金及び釣札準備金をセットする。
【００９３】
ここでは、図１８に示したように、釣銭準備金として硬貨を、釣札準備金として千円紙幣をセットしたものとする。
代金精算業務が開始されると、レジスター機１２ａには売上金が入金され、釣札及び釣銭が払い出される。
これを繰り返すことで、代金精算業務が終了したとき、レジスター機１２ａには釣銭準備金と釣札準備金及び売上金が収納されていることになる。
【００９４】
この場合、レジスター機１２ａ内の釣銭準備金と釣札準備金の金額そのものは代金精算業務が開始されたときと変わらないが、その内訳は、代金精算業務が開始時の釣銭準備金がすべて硬貨であったのに対し、代金精算業務終了時には、釣銭準備金が硬貨と紙幣になり、また、釣札準備金（千円紙幣）も同様に、代金精算業務終了時には、千円紙幣と千円以外の紙幣となる。
【００９５】
一方、売上金は代金精算業務開始時には「０」だったものが、代金精算業務終了時には、売上高に従った金額となり、この売上金は紙幣及び硬貨となる。
レジスター機１２ａの精算では、代金精算業務終了の釣銭残金（硬貨）と売上金（硬貨）が混在した形で釣銭管理装置１７に入金されることになる。
そして、計数終了において図１７に示す画面が表示部２４に表示され、担当者ａにより計数終了に対応するファンクションキー２５ｆが押下されると、釣銭管理装置１７は今回入金計数された精算金額と、代金精算業務開始時に釣銭準備金として出金した払い出し金額から、硬貨で戻ってきた釣銭残金（硬貨）と売上金（硬貨）に分解し、更に、手元の残っているレジスター機１２ａから引き上げた紙幣のうち、釣銭残金（紙幣）の金額を算出して、その算出結果を図示しないプリンタによりレシートに印刷してレシート口２７から発行する。
【００９６】
この場合の精算金額は、次の式（１）で表される。
精算金額＝売上金（硬貨）＋釣銭残金（硬貨）            ・・・式（１）
一方、釣銭準備金（硬貨）は、次の式（２）で現される。
釣銭準備金（硬貨）＝釣銭残金（紙幣）＋釣銭残金（硬貨）・・・式（２）
また、釣銭残金（紙幣）は、次の式（３）で表される。
【００９７】
釣銭残金（紙幣）＝釣銭準備金（硬貨）−釣銭残金（硬貨）
＝釣銭残金（硬貨）−（精算金額−売上金（硬貨））
・・・式（３）
尚、釣銭残金（紙幣）は千円の整数倍である。
ここで、売上金（硬貨）が０〜９９９円と考えると、釣銭残金（紙幣）は次の式（４）で表される。
【００９８】
釣銭残金（紙幣）＝ＩＮＴ［｛釣銭準備金（硬貨）−
（精算金額−９９９）｝／１０００］
×１０００                          ・・・式（４）
但し、ＩＮＴ（×）は、×の整数倍だけを与える関数である。
また、売上金（硬貨）は、次の式（５）で表される。
【００９９】
売上金（硬貨）＝精算金額−釣銭準備金（硬貨）
＝精算金額−（釣銭準備金（硬貨）−釣銭残金（紙幣））
＝精算金額＋（釣銭残金（紙幣）−釣銭準備金（硬貨））
・・・式（５）
更に、釣銭残金（硬貨）は、次の式（６）で表される。
【０１００】
釣銭残金（硬貨）＝釣銭準備金（硬貨）−釣銭残金（紙幣）・・・式（６）
例えば、本実施の形態では、釣銭準備金（硬貨）を８８７０円とし、そして精算金額が２９８１円であったものとすると、釣銭残金（紙幣）は、式（４）に代入することで、
釣銭残金（紙幣）＝ＩＮＴ［｛８８７０−（２９８１−９９９）｝
／１０００］×１０００
＝ＩＮＴ（６８８９）×１０００
＝６０００
となり、売上金（硬貨）は、式（５）に代入して、
売上金（硬貨）＝２９８１＋６０００−８８７０＝１１１
となる。更に、釣銭残金（硬貨）は、式（５）に代入して、
釣銭残金（硬貨）＝８８７０−６０００＝２８７０
となる。
【０１０１】
この算出結果は表示部２４に図１９に示したように表示される。
ここでは、精算金額を精算硬貨として表示している。
この表示部２４に表示画面で、釣札準備金及び売上高をテンキー２５ｇで入力するよう案内する。
この場合、釣札準備金の欄にカーソルが表示され、それを見て担当者ａがテンキー２５ｇにより金額を入力した後、開始・停止キー２５ｈを押下すると、釣札準備金として入力が確定し、カーソルが売上高の欄に移る。
【０１０２】
ここで担当者ａが、テンキー２５ｇにより再び金額を入力した後、開始・停止キー２５ｈを押下すると、売上高として入力が確定する。
こうして釣札準備金と売上高の入力が終了すると、図２０に示したように釣札準備金と売上高を加えた画面が表示部２４に表示される。
本実施の形態においては、入力された釣札準備金として１００００円、売上高として７８１１１円を表示した例を示している。
【０１０３】
入力の訂正が必要な場合、担当者ａが釣札準備金または売上高に対応するファンクションキー２５ａまたは２５ｂを押下することによって、訂正入力を行うことができる。
この画面には、精算終了に対応するファンクションキー２５ｈの押下を促すメッセージが表示され、担当者ａがこのファンクションキー２５ｈを押下すると、図示しないプリンタによりレシートに印字が行われて、レーシート口２７から発行され、そして図２１に示したように、レシートの抜き取りを促す画面が表示部２４に表示されので、担当者ａはこのレシートを取り出す。
【０１０４】
レシートには、図２２に示したように、精算結果、計数した硬貨の内訳、入力結果、及び計数結果から算出した手元の紙幣の内訳等が印字される。
担当者ａはこのレシート及び手元の紙幣（本例では、９４０００円）を店長等の店舗１１の責任者に渡し、作業を完了する。
尚、誤差は釣銭準備金から減算される。
【０１０５】
このように、担当者ａはレジスター機１２ａから離れた場所で釣銭管理装置１７により精算を行うことができるので、レジスター機１２ａにおける代金精算業務を妨げることがない。
また、数の多い釣銭つまり硬貨を釣銭管理装置１７で計数し、数が少ない紙幣は釣銭管理装置１７で硬貨を計数している間に担当者ａが自分で計数することができるので、効率的な精算を行うことが可能となる。
【０１０６】
尚、担当者ｂが代金精算業務を終了する場合も、同様の処理を行う。
この場合、レシートには図２３に示したように精算結果が印刷される。
また、代金精算業務の途中で、個別出金や係員出金が行われた場合は、それらの結果も精算結果に参入される。
このようにして、店舗１１における一日の営業が終了すると、店舗１１の責任者が当日の売上の締めを行う。
【０１０７】
この場合、店舗１１全体のレジスター機１２ａ〜１２ｄまたはストアコンピュータ１３を操作することによって集計することができる。
まず、釣銭管理装置１７の締めを行うときは、責任者が所持するＩＤカードをカード受入口２６に挿入すると、ＩＤカードに記録されいる情報をカード読取部３５が読み取り、その読み取り内容に基づいて表示部２４に図２４に示した画面が表示される。
【０１０８】
この図に示したように、カードか情報から操作しているものが店舗１１の責任者であると認識され、操作のメニューも担当者の場合と相違する。
この画面における「出金」、「入金」、「精算」は、レジスター機１２ａ〜１２ｄを操作する作業であり、担当者の代行で作業を行う場合等に使用するモードである。
【０１０９】
また、「補充・回収」は、釣銭管理装置１７に収納されている釣銭準備金の補充や回収を行うモードであり、更に「照会設定」は、釣銭管理装置１７の操作履歴を日別や担当者別に照会したり、各種の設定、例えば「セット出金１」、「セット出金２」の内訳枚数を設定したり、担当者の登録等を行ったりする場合のモードである。
【０１１０】
「締め」は一日の処理の締めを行うモードで、例えば、代金業務を遂行する担当者が前記ａとｂの二人だけであるとし、そして、担当者ａとｂの精算結果が図２２及び図２３に示したような内容である場合、責任者がこの「締め」に対応するファンクションキー２５ｆを押下すると、釣銭管理装置１７は図示しないプリンタにより図２５に示した内容をレシートに印字してレシート口２７から発行する。
【０１１１】
図に示したように、精算結果はレジスター機１２ａ〜１２ｄの個別の精算の集計であり、硬貨の内訳は、合計はレジスター機毎の硬貨内訳の合計である、その内訳は単にそれぞれの合計とは異なる。
本実施の形態においては、売上金（硬貨）が、担当者ａの１１１円と、担当者ｂの９５２円との合計で１０６３であるが、１０００円を越える場合、１０００円単位で釣銭残金（硬貨）に移す。
【０１１２】
ところで、上述した釣銭管理装置１７の運用において、店舗１１における営業に必要な数日分の釣銭準備金を釣銭管理装置１７の入金口から投入して金種等の判別及び計数を行い、金種別に硬貨集積部５７〜６２に集積させる場合、精算時等にレジスター機１２ａ〜１２ｄから回収した硬貨を入金口から投入して金種等の判別及び計数を行い、金種別に硬貨集積部５７〜６２に集積させる場合の処理は釣銭管理装置１７側から考えると入金処理にあたる。
【０１１３】
このような入金処理において、硬貨集積部５７〜６２に集積される硬貨の枚数は、金種判別を行う検銭部４５による金種毎の硬貨の計数値に基づいて把握することが可能である。
これら、硬貨集積部５７〜６２にそれぞれの硬貨を集積できる枚数つまり集積可能枚数は、硬貨集積部５７〜６２のそれぞれの大きさと集積金種により決まるので、前記金種毎の硬貨の計数値により硬貨集積部毎のフル（満杯）あるいはニアフル（満杯に近い状態）を知ることができる。
【０１１４】
そこで本実施の形態では、硬貨集積部５７〜６２にそれぞれの集積可能枚数に応じて規定値（規定枚数）を設定する。
この規定値は、例えば、硬貨集積部５７〜６２のそれぞれのニアフルの枚数あるいはそれより若干少ない枚数とする。
そして、入金処理時に出金ガイド板７５を回動により位置７５ｂに角度変化させ、入金処理中に硬貨集積部５７〜６２のそれぞれの集積枚数を検銭部４５の金種毎の硬貨の計数値により監視して、硬貨集積部５７〜６２のいずれかの硬貨集積枚数が規定値に達したことを検出した場合、その規定値に達した硬貨集積部から硬貨を硬貨繰出部６９〜７４の該当する硬貨繰出部により１枚づつ繰り出し、出金ガイド板７５により回収箱７８に収納させる。
【０１１５】
これにより、硬貨集積部５７〜６２のオーバーフローを防止し、入金処理を中断することなく、そのまま入金処理を継続させる。
以上説明した第１の実施の形態によれば、金種別に硬貨を集積する硬貨集積部が硬貨集積枚数が規定値に達したことを検銭部の金種ごとの計数値により検出した場合、該当する硬貨集積部から硬貨繰出部により１枚づつ繰り出し、簡単な構造の回動可能な出金ガイド板７５により回収箱に案内して収納させるようにしているため、オーバーフロー用の搬送路が不要となり、構造の簡素化、装置の低価格化を図ることができる。
【０１１６】
次に、第２の実施の形態について説明する。
図２６は第２の実施の形態の要部側面図で、ここでは硬貨集積部及び硬貨繰出部として、一円硬貨用の硬貨集積部５７及び硬貨繰出部６９を示しているが、他の金種の硬貨集積部５８〜６２及び硬貨繰出部７０〜７４も同様の構造となっている。
【０１１７】
図に示したように本実施の形態における硬貨集積部５７には、該収納部５７内に収納された硬貨のフル時の収納高さを検知する検知センサ１１０が設けられている。
尚、この他の構成は第１の実施の形態と同様である。
この実施の形態でも、前記のように入金処理時に出金ガイド板７５を回動により位置７５ｂに角度変化させ、入金処理中に硬貨集積部５７〜６２のそれぞれの集積枚数を検銭部４５の金種毎の硬貨の計数値により監視して、硬貨集積部５７〜６２のいずれかの硬貨集積枚数が規定値に達したことを検出した場合、その規定値に達した硬貨集積部から硬貨を硬貨繰出部６９〜７４の該当する硬貨繰出部により１枚づつ繰り出し、出金ガイド板７５により回収箱７８に収納させるが、入金処理において硬貨集積部５７〜６２の上方から放出される硬貨が硬貨集積部内に偏って収納される場合がある。
【０１１８】
このような場合、硬貨集積枚数が規定値に達していないにもかかわらず、入金処理を続けると、偏って収納された硬貨の上に更に硬貨が積み重ねられ、硬貨集積部５７〜６２から溢れてしまうという事態を招くことになる。
そこで、本実施の形態では、入金処理中に検銭部４５の計数値の基づく硬貨集積部５７〜６２の収納枚数が規定値に達していない場合でも、検知センサ１１０がフルを検知した場合は、入金処理を一旦停止し、該当する硬貨集積部から硬貨繰出部により１枚づつ繰り出して出金ガイド板７５により回収箱７８に案内して収納させる。
【０１１９】
これにより該当する硬貨集積部の硬貨が減り、検知センサ１１０がフルを検知する高さより低くなってから入金処理を再開する。
以上説明した第２の実施の形態によれば、第１の実施の形態と同様の効果が得られると共に、各硬貨集積部内に硬貨が偏った状態で収納された場合でも、硬貨集積部から硬貨が溢れることを防止できるという効果が得られる。
【０１２０】
次に、第３の実施の形態について説明する。
図２７は第３の実施の形態の要部の構成を示す図で、同図（ａ）は側面図、同図（ｂ）は同図（ａ）のイ−イ線断面図である。
ここでは硬貨集積部及び硬貨繰出部として、一円硬貨用の硬貨集積部５７及び硬貨繰出部６９を示しているが、他の金種の硬貨集積部５８〜６２及び硬貨繰出部７０〜７４も同様の構造となっている。
【０１２１】
図に示したように本実施の形態における硬貨集積部５７には、該集積部５７内に収納された硬貨のフル時の集積高さを検知する検知センサ１１０が設けられており、また、硬貨繰出部６９は図示しないモーターにより回転する円盤１１１を有している。
この円盤１１１には、図（ｂ）に示したように繰り出す硬貨の径に対応した凹部１１２が複数設けられていて、円盤１１１が一定の方向に回転すると硬貨集積部５７内の硬貨が各凹部１１２に入り込むようになっている。
【０１２２】
そして各凹部１１２にはにはそれぞれ図示しない切欠きが形成されていて、回転中に所定の位置で各凹部１１２内の硬貨が図示しないローラにより円盤１１１の下側に繰り出され、出金ガイド板７５上に放出されるものとなっている。
また、円盤１１１は前記一定の方向つまり出金方向と逆の方向にも回転可能であり、この逆方向に回転した場合は、凹部１１２内から硬貨が繰り出されることはない。
【０１２３】
尚、この他の構成は第２の実施の形態と同様である。
このような構成において、入金処理中に検銭部４５の計数値の基づく硬貨集積部５７〜６２の集積枚数が規定値に達していないにもかかわらず、硬貨が偏って集積されることにより検知センサ１１０がフルを検知した場合は、出金処理を停止することなく該当する硬貨集積部の硬貨繰出部における円盤１１１を出金方向と逆の方向に所定回数回転させる。
【０１２４】
このとき凹部１１２内の硬貨は繰り出されず、そのまま円盤１１２と共に回転するので、この凹部１１２内の硬貨の表面の凹凸により硬貨集積部の底部の硬貨が攪拌され、これにより硬貨集積部内に偏って集積された硬貨が均され、高さが低くなる。
そして、所定回数回転しても検知センサ１１０がフルを検知している場合は、更に円盤１１１を出金方向と逆の方向に所定回数回転させ、硬貨が均らすようにする。
【０１２５】
尚、入金処理中に検銭部４５の計数値の基づく硬貨集積部５７〜６２の集積枚数が規定値に達していないにもかかわらず、硬貨が偏って集積されることにより検知センサ１１０がフルを検知したとき、出金処理を停止することなく該当する硬貨集積部の硬貨繰出部における円盤１１１を出金方向と逆の方向に検知センサ１１０がフルを検知しなくなるまで回転させ続け、フルを検知しなくなった時点で円盤１１１の回転を停止させるようにしてもよい。
【０１２６】
以上説明した第３の実施の形態によれば、第１の実施の形態と同様の効果が得られると共に、各硬貨集積部内に硬貨が偏った状態で集積された場合でも、出金処理を停止することなく硬貨集積部から硬貨が溢れることを防止できるという効果が得られる。
尚、本発明は、上述した実施の形態の限定されるものではなく、種々変形させるとが可能であり、それらを本発明の範囲から排除するものではない。
【０１２７】
【発明の効果】
以上説明したように本発明は、金種別に硬貨を集積する硬貨集積部の下部に設けた硬貨繰出部と、これらの下方に隣接するように並べて配置した出金カセット及び回収箱との間に回動可能な出金ガイド板を配置し、入金処理時に硬貨集積部の硬貨集積枚数が規定値に達したことを検銭部の金種毎の計数値により検出した場合、該当する硬貨集積部から硬貨繰出部により１枚づつ繰り出し、簡単な構造の回動可能な出金ガイド板により回収箱に案内して収納させるようにしている。
【０１２８】
そのため、オーバーフロー用の搬送路が不要となり、構造の簡素化、装置の低価格化を図ることができる。
【図面の簡単な説明】
【図１】第１の実施の形態を示す要部斜視図
【図２】実施の形態の店舗設置例を示す図
【図３】実施の形態の構成を示す機能ブロック図
【図４】図１の一部を取り除いて示した斜視図
【図５】出金カセットの斜視図
【図６】出金カセットの斜視図
【図７】回収箱を示す斜視図である。
【図８】リジェクトブレードの構成を示す斜視図
【図９】リジェクトブレードの動作を示すタイムチャートチャート
【図１０】釣銭管理装置の表示部と操作キー部を示す図
【図１１】釣銭管理装置の表示部と操作キー部を示す図
【図１２】釣銭管理装置の表示部と操作キー部を示す図
【図１３】釣銭管理装置の表示部と操作キー部を示す図
【図１４】釣銭管理装置の表示部と操作キー部を示す図
【図１５】釣銭管理装置の表示部と操作キー部を示す図
【図１６】釣銭管理装置の表示部と操作キー部を示す図
【図１７】釣銭管理装置の表示部と操作キー部を示す図
【図１８】レジスター機の現金の動きを示す説明図
【図１９】釣銭管理装置の表示部と操作キー部を示す図
【図２０】釣銭管理装置の表示部と操作キー部を示す図
【図２１】釣銭管理装置の表示部と操作キー部を示す図
【図２２】釣銭管理装置から発行するレシートの例を示す図
【図２３】釣銭管理装置１７から発行するレシートの例を示す図
【図２４】釣銭管理装置の表示部と操作キー部を示す図
【図２５】釣銭管理装置から発行するレシートの例を示す図
【図２６】第２の実施の形態の要部側面図
【図２７】第３の実施の形態の要部の構成を示す図
【図２８】従来の硬貨管理装置の概略構成を示す図
【符号の説明】
２１  入金口
４１  入金ホッパ
４２  分離繰出部
４３  入金搬送路
４５  検銭部
４６  区分搬送路
５７〜６２  硬貨集積部
６９〜７４  硬貨繰出部
７５  出金ガイド板
７７  出金カセット
７８  回収箱
１１０  検知センサ
１１１  円盤
１１２  凹部
【図１】
2004265066.tif 000003
【図２】
2004265066.tif 000004
【図３】
2004265066.tif 000005
【図４】
2004265066.tif 000006
【図５】
2004265066.tif 000007
【図６】
2004265066.tif 000008
【図７】
2004265066.tif 000009
【図８】
2004265066.tif 000010
【図９】
2004265066.tif 000011
【図１０】
2004265066.tif 000012
【図１１】
2004265066.tif 000013
【図１２】
2004265066.tif 000014
【図１３】
2004265066.tif 000015
【図１４】
2004265066.tif 000016
【図１５】
2004265066.tif 000017
【図１６】
2004265066.tif 000018
【図１７】
2004265066.tif 000019
【図１８】
2004265066.tif 000020
【図１９】
2004265066.tif 000021
【図２０】
2004265066.tif 000022
【図２１】
2004265066.tif 000023
【図２２】
2004265066.tif 000024
【図２３】
2004265066.tif 000025
【図２４】
2004265066.tif 000026
【図２５】
2004265066.tif 000027
【図２６】
2004265066.tif 000028
【図２７】
2004265066.tif 000029
【図２８】
2004265066.tif 000030